(57)【要約】      （修正有）【課題】周波数帯の異なる複数種類の特定の生体音を適切に収音することができるチェストピースを提供する。【解決手段】生体音によって振動するダイヤフラム２０と、前記ダイヤフラムの振動音を電気信号に変換する収音モジュールとを備えたチェストピース１０であって、前記ダイヤフラムは、被検者の体に対面し得る円形の表面２１と前記収音モジュールに面する裏面２２とを有するダイヤフラム本体と、前記裏面に設けられ、前記表面の輪郭と同心円状に配置される突起部２３とを有しており、前記突起部が設けられている第１の部分２４の厚さ寸法は、前記突起部が設けられていない第２の部分２５の厚さ寸法よりも大きい。【選択図】図１
0003225549.tif 000002
【実用新案登録請求の範囲】
【請求項１】
生体音によって振動するダイヤフラムと、
前記ダイヤフラムの振動音を電気信号に変換する収音モジュールと、を備えたチェストピースであって、
前記ダイヤフラムは、
被検者の体に対面し得る円形の表面と前記収音モジュールに面する裏面とを有するダイヤフラム本体と
前記裏面に設けられ、前記表面の輪郭と同心円状に配置される突起部とを有しており、
前記突起部が設けられている第１の部分の厚さ寸法は、前記突起部が設けられていない第２の部分の厚さ寸法よりも大きいことを特徴とするチェストピース。
【請求項２】
前記第１の部分と前記第２の部分とを一体成型したことを特徴とする請求項１に記載のチェストピース。
【請求項３】
前記第１の部分は、自然状態において平坦でかつ厚さ寸法が均一な板状部材の裏面に円環状部材を設けることにより形成され、
前記第２の部分は、前記板状部材の前記円環状部材が設けられていない部分により構成されることを特徴とする請求項１に記載のチェストピース。
【請求項４】
前記第１の部分は第１種の生体音によって振動し、前記第２の部分は前記第１種の生体音とは周波数帯域又は成分の異なる第２種の生体音によって振動することを特徴とする請求項１乃至３のいずれか一項に記載のチェストピース。
【請求項５】
前記収音モジュールの出力信号を外部へ送信する送信モジュールを備えたことを特徴とする請求項１乃至４のいずれか一項に記載のチェストピース。
【請求項６】
前記第一種の生体音は心音であると共に、前記第二種の生体音は肺音であることを特徴とする請求項１乃至５のいずれか１項に記載のチェストピース。
【請求項７】
前記突起部の硬度は前記ダイヤフラム本体の硬度よりも大きいことを特徴とする請求項１乃至６記載のチェストピース。
【考案の詳細な説明】
【技術分野】
【０００１】
本考案は、チェストピースの改良に関する。
【背景技術】
【０００２】
従来、被検者の心音や肺音など生体音を収音し送信する機能を持ったチェストピースが知られている（例えば、特許文献１、特許文献２、特許文献３、等）。これらは総じて、生体音によって振動するダイヤフラムと、ダイヤフラムの振動音をアナログ電気信号に変換する収音モジュールと、収音モジュールの出力信号をチェストピースの外部に送信する送信モジュールと、を有している。この種のチェストピースによれば、音導管が不要であるので、ダイヤフラムと音導管との共鳴、音導管の揺れや擦れ、等による混雑音を排して、被検者の生体音を聴くことができる。
【先行技術文献】
【特許文献】
【０００３】
【特許文献１】特開２０１４−１８０３０８号公報
【特許文献２】特開２０１６−７２８０２号公報
【特許文献３】特開２０１２−１５２３７７号公報
【考案の概要】
【考案が解決しようとする課題】
【０００４】
ところで、心音は５００Ｈｚ以下である一方、肺音は１ｋＨｚ程度であり、聴取する対象の臓器により周波数帯域が大きく異なっている。この場合、微細な生体音を聴取しようとしてダイヤフラムの厚さ寸法を小さく形成した場合には、周波数の小さい生体音から大きな生体音に至るまで反応して振動過多となる。その結果、雑音まで広く拾ってしまうこととなり、生体音を適切に聴取することが困難である、という不具合があった。
一方、ダイヤフラムの厚さ寸法を大きく形成した場合には、周波数の小さい生体音には振動せず、同様に適切に生体音を聴取することができない、という不具合があった。
【０００５】
そこで本考案は、周波数帯の異なる複数種類の特定の生体音を適切に収音することができるチェストピースを提供する。
【課題を解決するための手段】
【０００６】
上記課題を解決するために、請求項１に係る考案のチェストピースは、生体音によって振動するダイヤフラムと、前記ダイヤフラムの振動音を電気信号に変換する収音モジュールと、を備えたチェストピースであって、前記ダイヤフラムは、被検者の体に対面し得る円形の表面と前記収音モジュールに面する裏面とを有するダイヤフラム本体と、前記裏面に設けられ、前記表面の輪郭と同心円状に配置される突起部とを有しており、前記突起部が設けられている第１の部分の厚さ寸法は、前記突起部が設けられていない第２の部分の厚さ寸法よりも大きいことを特徴とする。
【０００７】
上記構成によれば、振動特性が相違する第１の部分と第２の部分とを有するダイヤフラムを備えたチェストピースが実現される。すなわち、ダイヤフラムの第１の部分及び第２の部分は、厚さ寸法が相違するため、それぞれ帯域の異なる複数種類の特定の生体音によって振動し、それぞれ帯域の異なる複数種類の振動音を発生し得る。ダイヤフラムから発生された複数種類の振動音は、収音モジュールによって電気信号に変換される。よって、このチェストピースによれば、周波数帯の異なる複数種類の特定の生体音を適切に収音することができる。
【０００８】
請求項２に係る考案は、請求項１のチェストピースにおいて、前記第１の部分と前記第２の部分とを一体成型したことを特徴としている。この構成によれば、第１の部分と第２の部分とを一体成型したダイヤフラムを備えたチェストピースが実現される。
【０００９】
請求項３に係る考案は、請求項１のチェストピースにおいて、前記第１の部分は、自然状態において平坦でかつ厚さ寸法が均一な板状部材の裏面に円環状部材を設けることにより形成され、前記第２の部分は、前記板状部材の前記円環状部材が設けられていない部分により構成されることを特徴としている。この構成によれば、板状部材と円環状部材とで構成したダイヤフラムを備えたチェストピースが実現される。
【００１０】
請求項４に係る考案は、請求項１から３のいずれかのチェストピースにおいて、前記第１の部分は第１種の生体音によって振動し、前記第２の部分は前記第１種の生体音とは周波数帯域又は成分の異なる第２種の生体音によって振動することを特徴としている。この構成によれば、ダイヤフラムの第１の部分及び第２の部分は、それぞれ第１種の生体音及び第２種の生体音に伴って振動し、それぞれ帯域又は成分の異なる二種類の振動音を発生し得る。
【００１１】
請求項５に係る考案は、請求項１から４のいずれかのチェストピースにおいて、前記収音モジュールの出力信号を外部へ送信する送信モジュールを備えたことを特徴としている。この構成によれば、周波数帯の異なる複数種類の特定の生体音が適切に収音され、チェストピースの外部に送信される。  
請求項６に係る考案によれば、前記第一種の生体音は心音であると共に、前記第二種の生体音は肺音であることを特徴とする。
従って、請求項６記載の考案にあっては、本考案に係るチェストピースは、心音及び肺音をダイヤフラムの異なる部位において、夫々、別箇に聴取することができる。
請求項７に係る考案によれば、前記突起部の硬度は前記ダイヤフラム本体の硬度よりも大きいことを特徴とする。
【考案の効果】
【００１２】
請求項１記載の考案によれば、周波数帯の異なる複数種類の生体音を適切に収音し得るチェストピースを実現することができる。
【００１３】
請求項２記載の考案によれば、ダイヤフラムの部品数の増加を招くことなく、周波数帯の異なる複数種類の生体音を適切に収音し得るチェストピースを実現することができる。
【００１４】
請求項３の考案によれば、板状部材と円環状部材とからなる単純な構成のダイヤフラムを用いて、周波数帯の異なる複数種類の生体音を適切に収音し得るチェストピースを実現することができる。
【００１５】
請求項４に係る考案によれば、第１種の生体音及び第２種の生体音によって振動し、それぞれ帯域又は成分の異なる二種類の振動音を発生し得るダイヤフラムを用いて、周波数帯の異なる複数種類の生体音を適切に収音し得るチェストピースを実現することができる。
【００１６】
請求項５に係る考案によれば、周波数帯の異なる複数種類の特定の生体音を適切に収音し、チェストピースの外部に送信することができる。
【００１７】
請求項６記載の考案にあっては、本考案に係るチェストピースは、心音及び肺音をダイヤフラムの異なる部位において、夫々、別箇に聴取することができるため、周波数帯域の異なる生体音を適切に聴取することが可能となる。
【図面の簡単な説明】
【００１８】
【図１】（Ａ）は本考案に係る一実施形態のチェストピースの正面図である。（Ｂ）は本考案に係る一実施形態のチェストピースの縦断面図である。
【図２】本考案に係る一実施形態を示し、図１に示すチェストピースが備えるダイヤフラムの側面図である。
【図３】本考案に係る一実施形態を示し、図１に示すチェストピースが備えるダイヤフラムの背面図である。
【図４】本考案に係る一実施形態を示し、他の実施形態のチェストピースが備えるダイヤフラムの構造についての説明図である。
【図５】本考案に係る一実施形態を示し、他の実施形態のチェストピースが備えるダイヤフラムの背面図である。
【考案を実施するための形態】
【００１９】
本考案の一実施形態について添付図面を参照して詳細説明する。
【００２０】
［構成］
図１（Ａ）及び図１（Ｂ）に示すように、チェストピース１０は、ダイヤフラム２０と、収音モジュール３０と、送信モジュール４０と、これらを収容した筐体５０と、を有している。筐体５０は、検者が手で持って操作するのに適した形状及び大きさに形成されている。
【００２１】
ダイヤフラム２０は、円板状の薄い振動体であり、被検者Ｈから発せられる生体音によって振動することにより振動音を発生する。収音モジュール３０は、所謂マイクとして機能し、ダイヤフラム２０の振動音を電気信号に変換して出力する。送信モジュール４０は、所謂ＦＭトランスミッタとして機能し、収音モジュール３０の出力信号をＦＭ波の音声信号Ｓに変調して外部へ送信する。送信モジュール４０には、バッテリ（不図示）が内蔵されている。
【００２２】
ダイヤフラム２０は、被検者Ｈの体表Ｈｓに対面し得る円形の表面２１と収音モジュール３０に面する裏面２２とを有するダイヤフラム本体２０ａと、ダイヤフラム本体２０ａの裏面２２に設けられ、ダイヤフラム本体２０ａの表面２１の輪郭と同心円状に突起部２３とを有している。
その結果、ダイヤフラム２０は、突起部２３が設けられている第１の部分２４と、突起部２３が設けられていない第２の部分２５とで構成される。この例では、第１の部分２４は第２の部分２５と一体成型されている。
本実施の形態にあっては、ダイヤフラム本体２０ａ及び突起部２３は、適宜の合成樹脂により形成されている。
【００２３】
図２に示すように、第１の部分２４の厚さ寸法Ｔ１は、第２の部分２５の厚さ寸法Ｔ２よりも大きくなっている。第１の部分２４は第１種の生体音によって振動し、第２の部分２５は第１種の生体音とは周波数帯域又は成分の異なる第２種の生体音によって振動する。第１の部分２４の厚さ寸法Ｔ１、第２の部分２５の厚さ寸法Ｔ２及び第１の部分２４の幅Ｗ（図３）は、第１種の生体音の周波数帯域及び第２種の生体音の周波数帯域に応じて選定される。第１種の生体音の例として、心音（500Ｈｚ以下の生体音）を挙げることができる。第２種の生体音の例として、肺音（１ＫＨｚ以上の生体音）を挙げることができる。
また、本実施の形態にあっては、突起部２３の硬度はダイヤフラム本体２０ａの硬度よりも大きく形成されており、ダイヤフラム２０の周縁部は筐体５０の内側面部に固定されている。
【００２４】
［作用・効果］
上記構成によれば、振動特性が相違する第１の部分２４と第２の部分２５とを有するダイヤフラム２０を備えたチェストピース１０が実現される。
すなわち、ダイヤフラム２０の第１の部分２４及び第２の部分２５は、厚さ寸法が相違するため、それぞれ帯域の異なる複数種類の特定の生体音（たとえば、心音と肺音の二種類の生体音）によって振動し、それぞれ帯域の異なる複数種類の振動音を発生する。
ダイヤフラム２０から発生された複数種類の振動音は、収音モジュール３０によって電気信号に変換される。そして、収音モジュール３０の出力信号は、送信モジュール１３によってＦＭ波の音声信号Ｓに変調され、チェストピース１０の外部へ送信される。よって、このチェストピース１０によれば、周波数帯の異なる複数種類の特定の生体音を適切に収音して、チェストピース１０の外部に送信することができる。そして、送信モジュール１３からの音声信号Ｓを受信装置（不図示）で受信し復調することにより、生体音を音声として再生し或いはデータとして記録することができる。
【００２５】
また、上記の例では、第１の部分２４と第２の部分２５とが一体成型されているため、第１の部分２４及び第２の部分２５をダイヤフラム２０に設けたことによる部品点数の増加を招くことなく、周波数帯の異なる複数種類の生体音を適切に収音し得るチェストピース１０を実現することができる。
【００２６】
［他の実施形態］
なお、本考案は上記実施形態に限定されない。たとえば、上記の例では、第１の部分２４と第２の部分２５とが一体成型されているが、図４に示すように、互いに別体に形成した板状部材２６と円環状部材２８とを、互いに一体化させてダイヤフラム２０を作成してもよい。板状部材２６は、自然状態において平坦でかつ厚さ寸法が均一な部材である。この場合、第１の部分２４（図２）は、板状部材２６の裏面２７に円環状部材２８を設けることにより形成され、第２の部分２５（図２）は、板状部材２６の円環状部材２８が設けられていない部分により構成される。この構成によれば、板状部材２６と円環状部材２８とからなる比較的単純な構成のダイヤフラム２０を用いて、周波数帯の異なる複数種類の生体音を適切に収音し得るチェストピース１０を実現することができる。
【００２７】
また、上記の例では、ダイヤフラム２０に第１の部分２４が一つだけ設けられているが、図５に示すように、第１の部分２４を同心円状に二つ設けてもよい。この構成によれば、周波数帯の異なる三種類の特定の生体音を適切に収音できる可能性がある。また、周波数帯の異なる二種類の特定の生体音をより適切に収音できる可能性もある。
【００２８】
また、上記の例では、ダイヤフラム２０の輪郭が円形になっているが、筐体５０に保持された状態で露出する表面２１の輪郭が円形でありさえすれば、ダイヤフラム２０の輪郭は円形である必要はない。
【００２９】
また、上記の例では、チェストピース１０は、収音モジュール３０の出力信号を外部へ無線送信する送信モジュール４０を備えているが、送信モジュール４０を省略し、収音モジュール３０の出力信号を外部へ有線送信するように構成してもよい。
【００３０】
また、上記の例では、送信モジュール１３がＦＭ波を利用して送信を行うこととしたが、ブルートゥース（登録商標）及びＷＩＦＩ等その他の無線手段を利用してもよい。
ただし、ブルートゥース（登録商標）は帯域が狭いために、生体音を原音のままで送信できないので生体音の送信には適さない。また、ＷＩＦＩ通信は、病院施設内にて利用する場合の安全性が十分認知されるまで時間を要する状況のため、直ちには採用できない。
一方、本実施の形態におけるようにＦＭ波の微弱電波を利用した場合にはこのような問題は発生しない。
【符号の説明】
【００３１】
１０  チェストピース
２０  ダイヤフラム
２０ａ  ダイヤフラム本体
２１  表面
２２  裏面
２３  突起部
２４  第１の部分
２５  第２の部分
２６  板状部材
２８  円環状部材
３０  収音モジュール
４０  送信モジュール
５０  筐体
Ｈ  被検者
Ｈｓ  体表
【図１】
0003225549.tif 000003
【図２】
0003225549.tif 000004
【図３】
0003225549.tif 000005
【図４】
0003225549.tif 000006
【図５】
0003225549.tif 000007
【手続補正書】
【提出日】令和1年10月31日(2019.10.31)
【手続補正１】
【補正対象書類名】実用新案登録請求の範囲
【補正対象項目名】全文
【補正方法】変更
【補正の内容】
【実用新案登録請求の範囲】
【請求項１】
生体音によって振動するダイヤフラムと、
前記ダイヤフラムの振動音を電気信号に変換する収音モジュールと、を備えたチェストピースであって、
前記ダイヤフラムは、
被検者の体に対面し得る円形の表面と前記収音モジュールに面する裏面とを有するダイヤフラム本体と
前記裏面に設けられ、前記表面の輪郭と同心円状に配置される突起部とを有しており、
前記突起部が設けられている第１の部分の厚さ寸法は、前記突起部が設けられていない第２の部分の厚さ寸法よりも大きいことを特徴とするチェストピース。
【請求項２】
前記第１の部分と前記第２の部分とを一体成型したことを特徴とする請求項１に記載のチェストピース。
【請求項３】
前記第１の部分は、自然状態において平坦でかつ厚さ寸法が均一な板状部材の裏面に円環状部材を設けることにより形成され、
前記第２の部分は、前記板状部材の前記円環状部材が設けられていない部分により構成されることを特徴とする請求項１に記載のチェストピース。
【請求項４】
前記第１の部分は第１種の生体音によって振動し、前記第２の部分は前記第１種の生体音とは周波数帯域又は成分の異なる第２種の生体音によって振動することを特徴とする請求項１乃至３のいずれか一項に記載のチェストピース。
【請求項５】
前記収音モジュールの出力信号を外部へ送信する送信モジュールを備えたことを特徴とする請求項１乃至４のいずれか一項に記載のチェストピース。
【請求項６】
前記第一種の生体音は心音であると共に、前記第二種の生体音は肺音であることを特徴とする請求項４に記載のチェストピース。
【請求項７】
前記突起部の硬度は前記ダイヤフラム本体の硬度よりも大きいことを特徴とする請求項１乃至６記載のチェストピース。